(57)【特許請求の範囲】
【請求項１】
手袋タッチモードが開始された場合、電子装置の周囲温度を取得し、
前記周囲温度に対応する報告閾値をクエリし、ここで、前記周囲温度に対応する前記報告閾値は、前記周囲温度が低いほど低くなっており、
クエリした前記報告閾値を前記電子装置におけるタッチスクリーンの報告閾値として設定する、
ことを含み、
前記周囲温度に対応する報告閾値をクエリすることが、
前記周囲温度が属する温度範囲をクエリし、
前記温度範囲に対応する報告閾値を、少なくとも１つの温度範囲と報告閾値との間の対応である所定の対応からクエリする、
ことを含む、閾値を設定するための方法。
【請求項２】
電子装置の周囲温度を取得することが、
前記電子装置内に配置された温度センサにより前記周囲温度を取得すること、
又は、
前記電子装置の地理的位置を取得し、前記地理的位置に対応する温度をサーバから前記周囲温度として取得すること、
を含む、請求項１に記載の方法。
【請求項３】
クエリした前記報告閾値を前記電子装置におけるタッチスクリーンの報告閾値として設定することが、
前記報告閾値が前記電子装置のプロセッサによりクエリされたならば、前記プロセッサにより設定命令をタッチ集積回路に送信することであって、前記設定命令は、クエリした前記報告閾値を前記タッチスクリーンの前記報告閾値として設定するよう前記タッチ集積回路に命令するように構成されていること、
又は、
前記報告閾値が前記タッチ集積回路によりクエリされたならば、前記タッチ集積回路により、クエリした前記報告閾値を前記タッチスクリーンの前記報告閾値として設定すること、
を含む、請求項１又は２に記載の方法。
【請求項４】
前記手袋タッチモードが開始されているならば、前記電子装置の前記周囲温度を取得する動作を実行する、
ことをさらに含む、請求項１〜３のいずれか１項に記載の方法。
【請求項５】
手袋タッチモードが開始された場合、電子装置の周囲温度を取得するように構成された取得モジュールと、
前記周囲温度に対応する報告閾値をクエリするように構成され、ここで、前記周囲温度に対応する前記報告閾値は、前記周囲温度が低いほど低くなっている、クエリモジュールと、
クエリした前記報告閾値を前記電子装置におけるタッチスクリーンの報告閾値として設定するように構成された設定モジュールと
を含み、
前記クエリモジュールが、
前記周囲温度が属する温度範囲をクエリするように構成された温度クエリサブモジュールと、
前記温度範囲に対応する報告閾値を、少なくとも１つの温度範囲と報告閾値との間の対応である所定の対応からクエリするように構成された報告閾値クエリサブモジュールと
を含む、閾値を設定するための装置。
【請求項６】
前記取得モジュールは、第１の温度取得サブモジュールを含むか、又は、地理的位置取得サブモジュール及び第２の温度取得サブモジュールを含み、
前記第１の温度取得サブモジュールは、前記電子装置内に配置された温度センサにより前記周囲温度を取得するように構成され、
前記地理的位置取得サブモジュールは、前記電子装置の地理的位置を取得するように構成され、
前記第２の温度取得サブモジュールは、前記地理的位置に対応する温度をサーバから前記周囲温度として取得するように構成されている、
請求項５に記載の装置。
【請求項７】
前記設定モジュールは、前記報告閾値が前記電子装置のプロセッサによりクエリされたならば、前記プロセッサにより設定命令をタッチ集積回路に送信するように構成され、前記設定命令は、クエリした前記報告閾値を前記タッチスクリーンの前記報告閾値として設定するよう前記タッチ集積回路に命令するように構成されている、
又は、
前記設定モジュールは、前記報告閾値が前記タッチ集積回路によりクエリされたならば、前記タッチ集積回路により、クエリした前記報告閾値を前記タッチスクリーンの前記報告閾値として設定するように構成されている、
請求項５又は６に記載の装置。
【請求項８】
前記取得モジュールはさらに、前記手袋タッチモードが開始されているならば、前記電子装置の前記周囲温度を取得する動作を実行するように構成されている、請求項５〜７のいずれか１項に記載の装置。
【請求項９】
コンピュータ上での実行時に請求項１〜４のいずれか１項に記載の閾値を設定するための方法を前記コンピュータに実行させるためのコンピュータプログラム。
【請求項１０】
コンピュータ読み取り可能な記録媒体であって、該記録媒体上に記憶された請求項９に記載のコンピュータプログラムを含むコンピュータ読み取り可能な記録媒体。
【発明の詳細な説明】
【技術分野】
【０００１】
関連出願の相互参照
本出願は、２０１５年８月３１日付けで中国国家知識産権局に出願された中国特許出願番号ＣＮ２０１５１０５４９４０４．０に基づき優先権を主張し、その全ての内容を本明細書において援用する。
【０００２】
本開示は、一般にタッチスクリーンの分野に関するものであり、特に閾値を設定するための方法及び装置に関する。
【背景技術】
【０００３】
一般に、タッチスクリーン及びタッチＩＣ（集積回路）は電子装置内に配置される。
【０００４】
ユーザの指でタッチスクリーンに接触することによりトリガー信号が生成されると、タッチＩＣは、トリガー信号の信号強度が報告閾値に達しているか否かを検知することができる。トリガー信号の信号強度が報告閾値に達しているならば、タッチＩＣはタッチトリガーイベントをプロセッサに報告する。報告閾値は、タッチスクリーンの感度であってもよい。感度が低すぎると、タッチスクリーンは遅く応答する。感度が高すぎると、誤動作が生じ得る。
【０００５】
しかしながら、冬に手袋をはめたユーザがタッチスクリーンを使用するときは、報告閾値をリセットする必要がある。関連技術では、３つの選択肢として薄い、中間、厚いがある手袋モード選択肢が与えられる。各選択肢は報告閾値に対応する。ユーザが手動で設定することにより、報告閾値は妥当な値となり得る。
【発明の概要】
【課題を解決するための手段】
【０００６】
本開示は、閾値を設定するための方法及び装置を提示し、以下の技術的な解決策を含む。
【０００７】
本開示の実施形態の第１の側面によると、
電子装置の周囲温度を取得し、
前記周囲温度に対応する報告閾値をクエリし、
クエリした前記報告閾値を前記電子装置におけるタッチスクリーンの報告閾値として設定する、
ことを含む、閾値を設定するための方法が提供される。
【０００８】
別の態様として、前記周囲温度に対応する報告閾値をクエリすることが、
前記周囲温度が属する温度範囲をクエリし、
前記温度範囲に対応する報告閾値を、少なくとも１つの温度範囲と報告閾値との間の対応である所定の対応からクエリする、ことを含む。
【０００９】
別の態様として、電子装置の周囲温度を取得することが、
前記電子装置内に配置された温度センサにより前記周囲温度を取得すること、
又は、
前記電子装置の地理的位置を取得し、前記地理的位置に対応する温度をサーバから前記周囲温度として取得すること、を含む。
【００１０】
別の態様として、クエリした前記報告閾値を前記電子装置におけるタッチスクリーンの報告閾値として設定することが、
前記報告閾値が前記電子装置のプロセッサによりクエリされたならば、前記プロセッサにより設定命令をタッチ集積回路に送信することであって、前記設定命令は、クエリした前記報告閾値を前記タッチスクリーンの前記報告閾値として設定するよう前記タッチ集積回路に命令するように構成されていること、
又は、
前記報告閾値が前記タッチ集積回路によりクエリされたならば、前記タッチ集積回路により、クエリした前記報告閾値を前記タッチスクリーンの前記報告閾値として設定すること、を含む。
【００１１】
別の態様として、手袋タッチモードが開始されているか否かを検知し、
前記手袋タッチモードが開始されているならば、前記電子装置の前記周囲温度を取得する動作を実行する、ことをさらに含む。
【００１２】
本開示の実施形態の第２の側面によると、
電子装置の周囲温度を取得するように構成された取得モジュールと、
前記周囲温度に対応する報告閾値をクエリするように構成されたクエリモジュールと、
クエリした前記報告閾値を前記電子装置におけるタッチスクリーンの報告閾値として設定するように構成された設定モジュールと
を含む、閾値を設定するための装置が提供される。
【００１３】
別の態様として、前記クエリモジュールが、
前記周囲温度が属する温度範囲をクエリするように構成された温度クエリサブモジュールと、
前記温度範囲に対応する報告閾値を、少なくとも１つの温度範囲と報告閾値との間の対応である所定の対応からクエリするように構成された報告閾値クエリサブモジュールとを含む。
【００１４】
別の態様として、前記取得モジュールは、第１の温度取得サブモジュールを含むか、又は、地理的位置取得サブモジュール及び第２の温度取得サブモジュールを含み、
前記第１の温度取得サブモジュールは、前記電子装置内に配置された温度センサにより前記周囲温度を取得するように構成され、
前記地理的位置取得サブモジュールは、前記電子装置の地理的位置を取得するように構成され、
前記第２の温度取得サブモジュールは、前記地理的位置に対応する温度をサーバから前記周囲温度として取得するように構成されている。
【００１５】
別の態様として、前記設定モジュールは、前記報告閾値が前記電子装置のプロセッサによりクエリされたならば、前記プロセッサにより設定命令をタッチ集積回路に送信するように構成され、前記設定命令は、クエリした前記報告閾値を前記タッチスクリーンの前記報告閾値として設定するよう前記タッチ集積回路に命令するように構成されている、
又は、
前記設定モジュールは、前記報告閾値が前記タッチ集積回路によりクエリされたならば、前記タッチ集積回路により、クエリした前記報告閾値を前記タッチスクリーンの前記報告閾値として設定するように構成されている。
【００１６】
別の態様として、本装置は、手袋タッチモードが開始されているか否かを検知するように構成された検知モジュールをさらに含み、前記取得モジュールはさらに、前記手袋タッチモードが開始されているならば、前記電子装置の前記周囲温度を取得する動作を実行するように構成されている。
【００１７】
本開示の実施形態の第３の側面によると、
プロセッサと、
前記プロセッサにより実行可能な命令を記憶するためのメモリとを含み、
前記プロセッサは、
電子装置の周囲温度を取得し、
前記周囲温度に対応する報告閾値をクエリし、
クエリした前記報告閾値を前記電子装置におけるタッチスクリーンの報告閾値として設定する、
ように構成された、閾値を設定するための装置が提供される。
【００１８】
本開示の実施形態に提示される技術的な解決策は以下の有益な効果を奏し得る。
【００１９】
電子装置の周囲温度を取得し、周囲温度に対応する報告閾値をクエリし、取得した報告閾値を電子装置におけるタッチスクリーンの報告閾値として設定することにより、関連技術における課題である、ユーザが手動で報告閾値を設定する必要があること、操作が複雑なこと、報告閾値の選択肢がより少ないこと、及び手袋の厚みに対する適応性が限定されていることが解決され、周囲温度に基づいてタッチスクリーンの報告閾値を妥当な値に自動的に設定し、ユーザにより設定される操作を削減し、手袋の厚みに広く適応するという効果を得ることができる。
【００２０】
上記一般的な記載及び以下の詳細な記載は単なる説明のための例示であり、本開示を限定するものではないことを理解すべきである。
【図面の簡単な説明】
【００２１】
本明細書に組み込まれ、その一部を構成している添付の図面は、本発明と矛盾のない実施形態を示し、本明細書とともに本発明の原理を説明するのに有用である。
【００２２】
【図１】図１は、実施形態に係る閾値を設定するための方法を示すフローチャートである。
【００２３】
【図２Ａ】図２Ａは、別の実施形態に係る閾値を設定するための方法を示すフローチャートである。
【００２４】
【図２Ｂ】図２Ｂは、別の実施形態に係る閾値を設定するための方法を示すフローチャートである。
【００２５】
【図２Ｃ】図２Ｃは、別の実施形態に係る閾値を設定するための方法を示すフローチャートである。
【００２６】
【図２Ｄ】図２Ｄは、さらに別の実施形態に係る閾値を設定するための方法を示すフローチャートである。
【００２７】
【図３】図３は、さらに別の実施形態に係る閾値を設定するための方法を示すフローチャートである。
【００２８】
【図４】図４は、実施形態に係る閾値を設定するための装置のブロック図である。
【００２９】
【図５】図５は、別の実施形態に係る閾値を設定するための装置のブロック図である。
【００３０】
【図６】図６は、別の実施形態に係る閾値を設定するための装置のブロック図である。
【００３１】
【図７】図７は、さらに別の実施形態に係る閾値を設定するための装置のブロック図である。
【００３２】
【図８】図８は、さらに別の実施形態に係る閾値を設定するための装置のブロック図である。
【００３３】
【図９】図９は、実施形態に係る閾値を設定するための装置のブロック図である。
【発明を実施するための形態】
【００３４】
以下、添付図面に例示された実施形態を詳細に参照する。以下の記載では添付図面を参照するが、異なる図面における同一の数字は、他に別段の記載がなければ、同一又は類似の要素を表す。実施形態の以下の記載に示された態様は、本発明と矛盾しないすべての態様を表しているわけではない。むしろ、それらは特許請求の範囲に記載の本発明に関連した態様と矛盾しない装置及び方法の単なる例である。
【００３５】
本開示の実施形態に提示された閾値を設定するための方法は、タッチスクリーンを有する電子装置に適用できる。本電子装置は、携帯電話、パネルコンピュータ、電子ブックリーダ、ＭＰ３（ムービングピクチャーエクスパーツグループオーディオレイヤ３）プレーヤー、ＭＰ４（ムービングピクチャーエクスパーツグループオーディオレイヤ４）プレーヤー、ラップトップ携帯コンピュータ及びデスクトップコンピュータなどでもよい。
【００３６】
或いは、電子装置は、温度センサ又は位置特定コンポーネントを備えていてもよい。
【００３７】
図１は、実施形態に係る閾値を設定するための方法を示すフローチャートである。図１に示すように、閾値を設定するための方法は以下のステップを含む。
【００３８】
ステップ１０１では、電子装置の周囲温度を取得する。
【００３９】
ステップ１０２では、周囲温度に対応する報告閾値をクエリする。
【００４０】
ステップ１０３では、クエリした報告閾値を、電子装置におけるタッチスクリーンの報告閾値として設定する。
【００４１】
要するに、閾値を設定するための本方法を用いて、電子装置の周囲温度を取得し、周囲温度に対応する報告閾値をクエリし、取得した報告閾値を電子装置におけるタッチスクリーンの報告閾値として設定することにより、関連技術における課題である、ユーザが手動で報告閾値を設定する必要があること、操作が複雑なこと、閾値の選択肢がより少ないこと、及び手袋の厚みに対する適応性が限定されていることが解決され、周囲温度に基づいてタッチスクリーンの報告閾値を妥当な値に自動的に設定し、ユーザにより設定される操作を削減し、手袋の厚みに広く適応するという効果を得ることができる。
【００４２】
図２Ａは、別の実施形態に係る閾値を設定するための方法を示すフローチャートである。図２Ａに示すように、閾値を設定するための方法は以下のステップを含む。
【００４３】
ステップ２０１では、プロセッサが、手袋タッチモードが電子装置により開始されているか否かを検知する。
【００４４】
手袋タッチモードが開始されていれば、ステップ２０２が実行される。手袋タッチモードが開始されていなければ、ステップ２０３が実行される。
【００４５】
容量性タッチスクリーン技術は、人の電流誘導により実現される。指がタッチスクリーンに接触すると、人は接地されているので指と容量性タッチスクリーンの導電層の間に結合容量が形成され、この結合容量が接触からいくらかの電流を吸収することができる。接触を通して流れる全電流が或る値（すなわち、報告閾値）に達したならば、電子装置におけるプロセッサ又はタッチＩＣは、それぞれの電極を流れる電流の比及び強度に基づいて接触の位置を正確に計算し、指により起こされた操作に応答することができる。
【００４６】
一般に、誤動作を避けるために、タッチスクリーンの報告閾値は高い値に設定される。報告閾値が高ければ高いほど、操作に対する感度は低くなる。冬に手袋をはめた人が、タッチスクリーンを有する電子装置（携帯電話など）上で操作を行なうと、手袋により、指とタッチスクリーンとの間の距離が増し、指とタッチスクリーンとの接触面積が減少するので、結合容量のキャパシタンスは小さく、接触を通して流れる電流の信号は弱い。接触を通して流れる電流の信号強度が報告閾値より低いならば、タッチスクリーンは、手袋をはめた人により起こされた操作に応じることができず、よって、タッチスクリーンの感度を向上させるために手袋モードを開始する必要がある。
【００４７】
ステップ２０１は任意であることに注意されたい。
【００４８】
ステップ２０２では、プロセッサが電子装置の周囲温度を取得する。
【００４９】
別法として、図２Ｂに示すように、ステップ２０２をステップ２０２Ａに置き換えてもよい。
【００５０】
ステップ２０２Ａでは、プロセッサが、電子装置内に配置された温度センサにより周囲温度を取得する。
【００５１】
すなわち、プロセッサは、電子装置内に配置された温度センサを介して周囲温度を直接取得する。
【００５２】
別法として、図２Ｃに示すように、ステップ２０２をサブステップ２０２Ｂ及び２０２Ｃに置き換えてもよい。
【００５３】
ステップ２０２Ｂでは、プロセッサが電子装置の地理的位置を取得する。
【００５４】
電子装置の地理的位置を取得する方法は、電子装置内に配置されたグローバルポジショニングシステムで電子装置の位置を特定することにより電子装置の地理的位置を取得することを含む。
【００５５】
ステップ２０２Ｃでは、プロセッサが、地理的位置に対応する温度をサーバから周囲温度として取得する。
【００５６】
サーバは、天気予報に適用されるバックグランドサーバなど、それぞれの地域におけるリアルタイムの温度を提供するサーバでもよい。
【００５７】
ステップ２０３では、タッチスクリーンの現在の報告閾値を維持する。
【００５８】
ステップ２０４では、プロセッサが、周囲温度に対応する報告閾値をクエリする。
【００５９】
別法として、図２Ｄに示すように、ステップ２０４がサブステップ２０４Ａ及び２０４Ｂを含む。
【００６０】
ステップ２０４Ａでは、プロセッサが、周囲温度が属する温度範囲をクエリする。
【００６１】
プロセッサは、取得した周囲温度が属する温度範囲をクエリし、該温度範囲に基づいて土地の人により使用される手袋の厚み範囲を決定できる。
【００６２】
ステップ２０４Ｂでは、プロセッサが、温度範囲に対応する報告閾値を所定の対応からクエリする。
【００６３】
該所定の対応は、少なくとも１つの温度範囲と報告閾値との間の対応とし得る。
【００６４】
プロセッサは、温度範囲と閾値との間の対応を事前に格納する。種々の温度範囲が手袋の種々の厚みにそれぞれ対応しているので、種々の温度範囲が種々の報告閾値にそれぞれ対応する。各報告閾値は、或る温度範囲においてユーザにより使用される手袋の厚みに基づいて導出することができ、この導出は、開発者が事前の実験を通して実施してもよい。
【００６５】
該対応は、１つの温度範囲が１つの報告閾値に対応することを表すことができる。別法として、多くの温度範囲が１つの報告閾値に対応してもよい。温度範囲と報告閾値との間の予めソートされた対応は、次のように示すことができる。
【表１】
0006431911.tif 000002
【００６６】
ステップ２０５では、プロセッサが、設定命令をタッチＩＣに送信し、該設定命令は、クエリした報告閾値をタッチスクリーンの報告閾値として設定するようタッチＩＣに命令するように構成されている。
【００６７】
例えば、現在の温度が２℃であるならば、プロセッサは、報告閾値Ｃをクエリし、設定命令をタッチＩＣに送信し、該設定命令は、現在の報告閾値を報告閾値Ｃに設定するようタッチＩＣに命令するように構成されている。
【００６８】
要するに、閾値を設定するための本方法を用いて、電子装置の周囲温度を取得し、周囲温度に対応する報告閾値をクエリし、取得した報告閾値を電子装置におけるタッチスクリーンの報告閾値として設定することにより、関連技術における課題である、ユーザが手動で閾値を設定する必要があること、操作が複雑なこと、閾値の選択肢がより少ないこと、及び手袋の厚みに対する適応性が限定されていることが解決され、周囲温度に基づいてタッチスクリーンの報告閾値を妥当な値に自動的に設定し、ユーザにより設定される操作を削減し、手袋の厚みに広く適応するという効果が実現できる。
【００６９】
図３は、さらに別の実施形態に係る閾値を設定するための方法を示すフローチャートである。図３に示すように、本方法は以下のステップを含む。
【００７０】
ステップ３０１では、プロセッサが、手袋タッチモードが電子装置により開始されているか否かを検知する。
【００７１】
手袋タッチモードが開始されていれば、ステップ３０２が実行される。手袋タッチモードが開始されていなければ、ステップ３０３が実行される。
【００７２】
容量性タッチスクリーン技術は、人の電流誘導により実現される。指がタッチスクリーンに接触すると、人は接地されているので指と容量性タッチスクリーンの導電層の間に結合容量が形成され、この結合容量が接触からいくらかの電流を吸収することができる。接触を通して流れる全電流が或る値（すなわち、報告閾値）に達したならば、電子装置におけるプロセッサ又はタッチＩＣは、それぞれの電極を流れる電流の比及び強度に基づいて接触の位置を正確に計算し、指により起こされた操作に応答することができる。
【００７３】
一般に、誤動作を避けるために、タッチスクリーンの報告閾値は高い値に設定される。報告閾値が高ければ高いほど、操作に対する感度は低くなる。冬に手袋をはめた人が、タッチスクリーンを有する電子装置（携帯電話など）上で操作を行なうと、手袋により、指とタッチスクリーンとの間の距離が増し、指とタッチスクリーンとの接触面積が減少するので、結合容量のキャパシタンスは小さく、接触を通して流れる電流の信号は弱い。接触を通して流れる電流の信号強度が報告閾値より低いならば、タッチスクリーンは、手袋をはめた人により起こされた操作に応じることができず、よって、タッチスクリーンの感度を向上させるために手袋モードを開始する必要がある。
【００７４】
ステップ３０１は任意であることに注意されたい。
【００７５】
ステップ３０２では、プロセッサが電子装置の周囲温度を取得する。
【００７６】
別法として、ステップ３０２をステップ３０２Ａに置き換えてもよい。
【００７７】
ステップ３０２Ａでは、プロセッサが、電子装置内に配置された温度センサにより周囲温度を取得する。
【００７８】
すなわち、プロセッサは、電子装置内に配置された温度センサを介して周囲温度を直接取得する。
【００７９】
別法として、ステップ３０２をサブステップ３０２Ｂ及び３０２Ｃに置き換えてもよい。
【００８０】
ステップ３０２Ｂでは、プロセッサが電子装置の地理的位置を取得する。
【００８１】
電子装置の地理的位置を取得する方法は、電子装置内に配置されたＧＰＳで電子装置の位置を特定することにより電子装置の地理的位置を取得することを含む。
【００８２】
ステップ３０２Ｃでは、プロセッサが、地理的位置に対応する温度をサーバから周囲温度として取得する。
【００８３】
サーバは、天気予報に適用されるバックグランドサーバなど、それぞれの地域におけるリアルタイムの温度を提供するサーバでもよい。
【００８４】
電子装置の周囲温度を取得した後、プロセッサは周囲温度をタッチＩＣに送信する。
【００８５】
ステップ３０３では、タッチスクリーンの現在の報告閾値を維持する。
【００８６】
ステップ３０４では、タッチＩＣが、周囲温度に対応する報告閾値をクエリする。
【００８７】
別法として、ステップ３０４がサブステップ３０４Ａ及び３０４Ｂを含む。
【００８８】
ステップ３０４Ａでは、タッチＩＣが、周囲温度が属する温度範囲をクエリする。
【００８９】
タッチＩＣは、取得した周囲温度が属する温度範囲をクエリし、該温度範囲に基づいて土地の人により使用される手袋の厚み範囲を決定できる。
【００９０】
ステップ３０４Ｂでは、タッチＩＣが、温度範囲に対応する報告閾値を所定の対応からクエリする。
【００９１】
該所定の対応は、少なくとも１つの温度範囲と報告閾値との間の対応とし得る。
【００９２】
タッチＩＣは、温度範囲と閾値との間の対応を事前に格納する。種々の温度範囲が手袋の種々の厚みにそれぞれ対応しているので、種々の温度範囲が種々の報告閾値にそれぞれ対応する。各報告閾値は、或る温度範囲においてユーザにより使用される手袋の厚みに基づいて導出することができ、この導出は、開発者が事前の実験を通して実施してもよい。
【００９３】
該対応は、１つの温度範囲が１つの報告閾値に対応することを表すことができる。別法として、多くの温度範囲が１つの報告閾値に対応してもよい。温度範囲と報告閾値との間の予めソートされた対応は、次のように示すことができる。
【表２】
0006431911.tif 000003
【００９４】
ステップ３０５では、タッチＩＣが、クエリした報告閾値をタッチスクリーンの報告閾値として設定する。
【００９５】
例えば、現在の温度が−１℃であるならば、プロセッサは、報告閾値Ｂをクエリし、設定命令をタッチＩＣに送信し、該設定命令は、現在の報告閾値を報告閾値Ｂに設定するようタッチＩＣに命令するように構成されている。
【００９６】
要するに、閾値を設定するための本方法を用いて、電子装置の周囲温度を取得し、周囲温度に対応する報告閾値をクエリし、取得した報告閾値を電子装置におけるタッチスクリーンの報告閾値として設定することにより、関連技術における課題である、ユーザが手動で閾値を設定する必要があること、操作が複雑なこと、閾値の選択肢がより少ないこと、及び手袋の厚みに対する適応性が限定されていることが解決され、周囲温度に基づいてタッチスクリーンの報告閾値を妥当な値に自動的に設定し、ユーザにより設定される操作を削減し、手袋の厚みに広く適応するという効果を得ることができる。
【００９７】
本開示の以下の装置の実施形態は、本開示の方法の実施形態を実施するために用いることができる。本開示の装置の実施形態において開示されていない詳細については、本開示の方法の実施形態が参照される。
【００９８】
図４は、実施形態に係る閾値を設定するための装置のブロック図である。図４に示すように、閾値を設定するための装置は、限定するものではないが取得モジュール４０１、クエリモジュール４０２及び設定モジュール４０３を含む。
【００９９】
取得モジュール４０１は、電子装置の周囲温度を取得するように構成されている。
【０１００】
クエリモジュール４０２は、周囲温度に対応する報告閾値をクエリするように構成されている。
【０１０１】
設定モジュール４０３は、クエリした報告閾値を電子装置におけるタッチスクリーンの報告閾値として設定するように構成されている。
【０１０２】
要するに、閾値を設定するための本方法を用いて、電子装置の周囲温度を取得し、周囲温度に対応する報告閾値をクエリし、取得した報告閾値を電子装置におけるタッチスクリーンの報告閾値として設定することにより、関連技術における課題である、ユーザが手動で閾値を設定する必要があること、操作が複雑なこと、閾値の選択肢がより少ないこと、及び手袋の厚みに対する適応性が限定されていることが解決され、周囲温度に基づいてタッチスクリーンの報告閾値を妥当な値に自動的に設定し、ユーザにより設定される操作を削減し、手袋の厚みに広く適応するという効果を得ることができる。
【０１０３】
図５は、別の実施形態に係る閾値を設定するための装置のブロック図である。図５に示すように、閾値を設定するための装置は、限定するものではないが検知モジュール５０１、取得モジュール５０２、クエリモジュール５０３及び設定モジュール５０４を含む。
【０１０４】
検知モジュール５０１は、手袋タッチモードが開始されているか否かを検知するように構成されている。
【０１０５】
検知モジュール５０１は任意のモジュールであることに注意されたい。
【０１０６】
取得モジュール５０２は、電子装置の周囲温度を取得するように構成されている。
【０１０７】
別法として、図６に示すように、取得モジュール５０２を第１の温度取得サブモジュール５０２Ａに置き換えてもよい。
【０１０８】
第１の温度取得サブモジュール５０２Ａは、電子装置内に配置された温度センサにより周囲温度を取得するように構成されている。
【０１０９】
別法として、図７に示すように、取得モジュール５０２を、地理的位置取得サブモジュール５０２Ｂ及び第２の温度取得サブモジュール５０２Ｃに置き換えることもできる。
【０１１０】
地理的位置取得サブモジュール５０２Ｂは、電子装置の地理的位置を取得するように構成されている。
【０１１１】
第２の温度取得サブモジュール５０２Ｃは、地理的位置に対応する温度をサーバから周囲温度として取得するように構成されている。
【０１１２】
クエリモジュール５０３は、周囲温度に対応する報告閾値をクエリするように構成されている。
【０１１３】
別法として、図８に示すように、クエリモジュールは、温度クエリサブモジュール５０３Ａ及び報告閾値クエリサブモジュール５０３Ｂを含む。
【０１１４】
温度クエリサブモジュール５０３Ａは、周囲温度が属する温度範囲をクエリするように構成されている。
【０１１５】
報告閾値クエリサブモジュール５０３Ｂは、温度範囲に対応する報告閾値を所定の対応からクエリするように構成されており、該所定の対応は、少なくとも１つの温度範囲と報告閾値との間の対応である。
【０１１６】
設定モジュール５０４は、クエリした報告閾値を電子装置におけるタッチスクリーンの報告閾値として設定するように構成されている。
【０１１７】
別法として、設定モジュール５０４は、報告閾値が携帯端末のプロセッサによりクエリされたならば、携帯端末のプロセッサにより設定命令をタッチＩＣに送信するように構成されている。該設定命令は、クエリした報告閾値をタッチスクリーンの報告閾値として設定するようタッチＩＣに命令するように構成されている。
【０１１８】
或いは、設定モジュール５０４は、報告閾値がタッチＩＣによりクエリされたならば、クエリした報告閾値をタッチスクリーンの報告閾値として設定するように構成されている。
【０１１９】
要するに、閾値を設定するための本方法を用いて、電子装置の周囲温度を取得し、周囲温度に対応する報告閾値をクエリし、取得した報告閾値を電子装置におけるタッチスクリーンの報告閾値として設定することにより、関連技術における課題である、ユーザが手動で閾値を設定する必要があること、操作が複雑なこと、閾値の選択肢がより少ないこと、及び手袋の厚みに対する適応性が限定されていることが解決され、周囲温度に基づいてタッチスクリーンの報告閾値を妥当な値に自動的に設定し、ユーザにより設定される操作を削減し、手袋の厚みに広く適応するという効果を得ることができる。
【０１２０】
上記実施形態における装置に関し、装置内の個別のモジュールの動作を実行する特定の方法については、方法に関する実施形態において詳細に説明したので、ここでは詳細に記載しない。
【０１２１】
図９は、実施形態に係る閾値を設定するための装置のブロック図である。例えば、装置９００はスマートフォン、パネルコンピュータ、電子ブックリーダ、パーソナルデジタルアシスタント、ラップトップ携帯コンピュータなど、容量性タッチスクリーンを有する電子装置でもよい。
【０１２２】
図９を参照すると、装置９００は次の１以上の構成要素、すなわち、処理コンポーネント９０２、メモリ９０４、電源コンポーネント９０６、マルチメディアコンポーネント９０８、オーディオコンポーネント９１０、入出力（Ｉ／Ｏ）インタフェース９１２、センサコンポーネント９１４、及び通信コンポーネント９１６を含んでもよい。
【０１２３】
一般に、処理コンポーネント９０２は、表示に関連した動作、通話、データ通信、カメラ動作、及び記録動作など装置９００のすべての動作を制御する。処理コンポーネント９０２は１又は複数のプロセッサ９１８を含み、命令を実行して上記方法における全て又は一部のステップを実行する。また、処理コンポーネント９０２は、処理コンポーネント９０２と他のコンポーネントとの相互作用を容易にする１又は複数のモジュールを含んでもよい。例えば、処理コンポーネント９０２は、マルチメディアコンポーネント９０８と処理コンポーネント９０２との相互作用を容易にするためのマルチメディアモジュールを含んでもよい。
【０１２４】
メモリ９０４は、装置９００の動作をサポートする種々のタイプのデータを記憶するように構成されている。このようなデータの例として、装置９００上で動作するアプリケーション又は方法のための命令、連絡先データ、電話帳データ、メッセージ、画像、映像などが挙げられる。メモリ９０４は、例えば、スタティックランダムアクセスメモリ（ＳＲＡＭ）、電気的消去可能プログラマブル読み取り専用メモリ（ＥＥＰＲＯＭ）、消去可能プログラマブル読み取り専用メモリ（ＥＰＲＯＭ）、プログラマブル読み取り専用メモリ（ＰＲＯＭ）、読み取り専用メモリ（ＲＯＭ）、磁気メモリ、フラッシュメモリ、磁気又は光ディスクなど、任意の種類の揮発性又は不揮発性メモリ装置、又はそれらの組合せを用いて実現することができる。
【０１２５】
電源コンポーネント９０６は、装置９００の種々のコンポーネントに電力を供給する。電源コンポーネント９０６は、電力管理システム、１以上の電源、並びに装置９００内での電力の生成、管理、及び分配に関連した他の任意のコンポーネントを含むことができる。
【０１２６】
マルチメディアコンポーネント９０８は、装置９００とユーザとの間で出力インタフェースを与えるスクリーンを含む。幾つかの実施形態では、スクリーンは、液晶表示装置（ＬＣＤ）及びタッチパネル（ＴＰ）を含んでもよい。スクリーンがタッチパネルを含む場合には、スクリーンは、ユーザから入力信号を受け取るタッチスクリーンとして実現できる。タッチパネルは、タッチパネル上でのタッチ、スワイプ、及びジェスチャーを感知するために１又は複数のタッチセンサを含む。タッチセンサは、タッチ又はスワイプ動作の境界を感知するだけでなく、タッチ又はスワイプ動作に関連した持続時間及び圧力も感知するようにしてもよい。幾つかの実施形態では、マルチメディアコンポーネント９０８は、フロントカメラ及び／又はリアカメラを含む。フロントカメラ及びリアカメラは、装置９００が撮影モードや映像モードなど、動作モードにある間は、外部のマルチメディアデータを受信するようにしてもよい。フロントカメラ及びリアカメラの各々は、固定された光学レンズシステムとするか、又はフォーカス及び光学ズームが可能なようにしてもよい。
【０１２７】
オーディオコンポーネント９１０は、音声信号を出力及び／又は入力するように構成されている。例えば、オーディオコンポーネント９１０は、装置９００が電話モード、録音モード、及び音声認識モードなどの動作モードにあるとき、外部の音声信号を受信するように構成されたマイクロホン（ＭＩＣ）を含む。受信した音声信号は、さらにメモリ９０４に記憶されるか、又は通信コンポーネント９１６を介して送信され得る。幾つかの実施形態では、オーディオコンポーネント９１０は音声信号を出力するためにスピーカをさらに含む。
【０１２８】
Ｉ／Ｏインタフェース９１２は、キーボード、クリックホイール、ボタンなど、処理コンポーネント９０２と周辺インタフェースモジュールとの間のインタフェースを提供する。ボタンとしては、限定するものではないが、ホームボタン、音量ボタン、スタートボタン、及びロック用ボタンを挙げることができる。
【０１２９】
センサコンポーネント９１４は、１又は複数のセンサを含み、装置９００の種々の態様のステータス評価を提供する。例えば、センサコンポーネント９１４は、装置９００の開閉ステータス、装置９００の例えば表示装置やキーパッドなどのコンポーネントの相対的な位置、装置９００又は装置９００のコンポーネントの位置の変化、装置９００とユーザの接触の有無、装置９００の配置方向又は加速度／減速度、及び装置９００の温度変化を検出してもよい。センサコンポーネント９１４は、物理的な接触なしで近くの物体の存在を検出するように構成された近接センサを含んでもよい。センサコンポーネント９１４はまた、画像化アプリケーションで使用するためにＣＭＯＳ又はＣＣＤ画像センサなどの光センサを含んでもよい。幾つかの実施形態では、センサコンポーネント９１４はまた、加速度計センサ、ジャイロスコープセンサ、磁気センサ、圧力センサ、又は温度センサを含んでもよい。
【０１３０】
通信コンポーネント９１６は、装置９００と他の装置との間での有線又は無線通信を容易にするように構成されている。装置９００は、ＷｉＦｉ、２Ｇ、若しくは３Ｇ、又はそれらの組合せなどの通信規格に基づいて無線ネットワークにアクセスすることができる。典型的な一実施形態では、通信コンポーネント９１６は、外部の放送管理システムから放送チャンネルを介して放送信号又は放送関連情報を受信する。典型的な一実施形態では、通信コンポーネント９１６は、短距離通信を容易にするために近距離無線通信（ＮＦＣ）モジュールをさらに含む。例えば、ＮＦＣモジュールは、無線自動識別（ＲＦＩＤ）技術、赤外線通信（ＩｒＤＡ）技術、超広帯域（ＵＷＢ）技術、ブルートゥース（ＢＴ）技術、及びその他の技術に基づいて実現してもよい。
【０１３１】
典型的な実施形態では、装置９００は、１又は複数の特定用途向け集積回路（ＡＳＩＣ）、デジタル信号プロセッサ（ＤＳＰ）、デジタル信号処理デバイス（ＤＳＰＤ）、プログラマブルロジックデバイス（ＰＬＤ）、フィールドプログラマブルゲートアレイ（ＦＰＧＡ）、コントローラ、マイクロコントローラ、マイクロプロセッサ、又は上記方法を実施するための他の電子コンポーネントにより実現してもよい。
【０１３２】
典型的な実施形態では、命令を含んだメモリ９０４など、命令を含んだ非一時的なコンピュータ読み取り可能な記録媒体も提供される。該命令は、上記方法を実行するために装置９００内のプロセッサ９１８により実行することができる。例えば、非一時的なコンピュータ読み取り可能な記録媒体は、ＲＯＭ、ＲＡＭ、ＣＤ−ＲＯＭ、磁気テープ、フロッピーディスク、光データ記憶装置などでもよい。
【０１３３】
装置９００のプロセッサにより実行されるとき、閾値を設定するための方法を装置９００に実行させる命令を記憶した、非一時的なコンピュータ読み取り可能な記録媒体。
プロセッサ９２０は、電子装置の周囲温度を取得し、周囲温度に対応する報告閾値をクエリし、クエリした報告閾値を電子装置におけるタッチスクリーンの報告閾値として設定するように構成されている。
【０１３４】
本発明の他の実施形態は、本明細書を考慮に入れて本明細書に開示された本発明を実施することで当業者には明らかになるであろう。本出願は、本発明の一般的な原理に従い、かつ、当技術における既知又は通常の実施の範囲内にあるような本開示からの逸脱を含めて、本発明の変形、使用又は適応を包含するよう意図される。本明細書及び実施形態は単なる例示と見なされ、本発明の真の範囲及び精神は特許請求の範囲により示されることが意図される。
【０１３５】
本発明は上記で説明し添付図面に図示された厳密な構成に限定されず、本発明の範囲を逸脱することなく様々な改変及び変更を行うことができることが分かるであろう。本発明の範囲は特許請求の範囲によってのみ限定されることが意図される。
【図１】
0006431911.tif 000004
【図２Ａ】
0006431911.tif 000005
【図２Ｂ】
0006431911.tif 000006
【図２Ｃ】
0006431911.tif 000007
【図２Ｄ】
0006431911.tif 000008
【図３】
0006431911.tif 000009
【図４】
0006431911.tif 000010
【図５】
0006431911.tif 000011
【図６】
0006431911.tif 000012
【図７】
0006431911.tif 000013
【図８】
0006431911.tif 000014
【図９】
0006431911.tif 000015